Podtech/llm-jp-corpus-v4-ja_patent huggingface dataset:
【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
トラミプロゼート、式Ｉ
【化４】
2017511377.tif 000001
を有する化合物、および式ＩＩ
【化５】
2017511377.tif 000002
を有する化合物から選択される化合物（式中、ＡＡ１及びＡＡ２の各々は、独立して選択されるアミノ酸である）を含む、ＡｐｏＥ４対立遺伝子の１以上のコピーを有する患者のサブ集団においてのみアルツハイマー病を治療する方法における使用のための組成物。
【請求項２】
前記化合物が、トラミプロゼートおよび式
【化６】
2017511377.tif 000003
を有する化合物から選択される、請求項１に記載の組成物。
【請求項３】
式
【化６】
2017511377.tif 000004
を有する化合物を含む、ＡｐｏＥ４対立遺伝子の１以上のコピーを有する患者のサブ集団においてアルツハイマー病を治療する方法における使用のための組成物。
【請求項４】
トラミプロゼート、式Ｉ
【化４】
2017511377.tif 000005
を有する化合物、および式ＩＩ
【化５】
2017511377.tif 000006
を有する化合物から選択される化合物（式中、ＡＡ１及びＡＡ２の各々は、独立して選択されるアミノ酸である）、ならびに薬学的に許容可能な担体を含む、ＡｐｏＥ４対立遺伝子の１以上のコピーを有する患者のサブ集団においてのみアルツハイマー病を治療する方法における使用のための医薬組成物であって、経口投薬形態である、医薬組成物。
【請求項５】
前記化合物が、トラミプロゼートおよび式
【化６】
2017511377.tif 000007
を有する化合物から選択される、請求項４に記載の医薬組成物。
【請求項６】
式
【化６】
2017511377.tif 000008
を有する化合物および薬学的に許容可能な担体を含む、ＡｐｏＥ４対立遺伝子の１以上のコピーを有する患者のサブ集団においてアルツハイマー病を治療する方法における使用のための医薬組成物であって、経口投薬形態である、医薬組成物。
【請求項７】
前記使用が、アルツハイマー病に関連する認知機能低下の低減のためのものである、請求項１〜３のいずれか１項に記載の組成物または請求項４〜６のいずれか１項に記載の医薬組成物。
【請求項８】
アルツハイマー病に罹患している患者のＡｐｏＥ４状態を、該患者がトラミプロゼート、式Ｉ
【化４】
2017511377.tif 000009
を有する化合物、および式ＩＩ
【化５】
2017511377.tif 000010
を有する化合物から選択される化合物（式中、ＡＡ１及びＡＡ２の各々は、独立して選択されるアミノ酸である）による治療の候補であるか否かの指標として用いる方法であって、該方法は、該患者のＡｐｏＥ４状態を決定する工程を含み、ここで、ＡｐｏＥ４対立遺伝子の１以上のコピーを有する患者は、該患者が該治療の候補であることを示す、方法。
【請求項９】
前記化合物が、トラミプロゼートおよび式
【化６】
2017511377.tif 000011
を有する化合物から選択される、請求項８に記載の方法。
【請求項１０】
前記化合物が式
【化６】
2017511377.tif 000012
を有する、請求項９に記載の方法。
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
抗ヒト上皮成長因子受容体（抗ｈＥＧＦＲ）抗体又はその抗原結合部分であって、
ａ）アミノ酸配列ＣＧＡＤＳＹＥＭＥＥＤＧＶＲＫＣ（配列番号４５）内のエピトープに結合するか、又は競合結合アッセイにおいて上皮成長因子受容体変異体ＩＩＩ（ＥＧＦＲｖＩＩＩ）（配列番号３３）との結合に関して第２の抗ｈＥＧＦＲ抗体と競合し、ここで前記第２の抗ＥＧＦＲ抗体は、配列番号１に記載のアミノ酸配列を含む重鎖可変領域と、配列番号５に記載のアミノ酸配列を含む軽鎖可変領域を含む；
ｂ）表面プラズモン共鳴法により測定した場合に、約１×１０−６Ｍ以下の解離定数（Ｋｄ）でＥＧＦＲ（１−５２５）（配列番号４７）と結合し；および
ｃ）インビボヒト非小細胞肺癌（ＮＳＣＬＣ）異種移植アッセイにおいて、前記ＮＳＣＬＣ異種移植アッセイにおいて、ＥＧＦＲに特異的ではないヒトＩｇＧ抗体と比較して少なくとも約５０％の腫瘍増殖阻害率％（ＴＧＩ％）で腫瘍増殖を阻害する、ここで、前記抗ｈＥＧＦＲ抗体又はその抗原結合部分と同一の用量と頻度でＥＧＦＲに非特異的なヒトＩｇＧ抗体を投与される、
前記抗体又はその抗原結合部分。
【誤訳訂正書】
【提出日】平成30年4月24日(2018.4.24)
【誤訳訂正１】
【訂正対象書類名】明細書
【訂正対象項目名】００１６
【訂正方法】変更
【訂正の内容】
【００１６】
抗体製造の実施例１：ＥＨＤ２に特異な抗体の製造
（１）試料の由来    
ニューイングランドウサギは上海強耀生物から購入され、
ポリペプチドＣＤＥＥＦＡＬＡＳＨＬＩＥＡＫＬＥＧＨＧＬＰＡＮＬＰＲＲＬＶＰＰＳＫＲＲＨＫＧＳＡＥ（該ポリペプチドは、アミノ酸配列がＳＥＱ  ＩＤ  ＮＯ：１であるポリペプチドをコア配列として修飾して得られ、その修飾方法はＮ末端に一つのシステインを接続することである）は天津賽爾生物技術有限公司にカスタムしかつＫＬＨとカップリングされ、
ＣＮＢｒで活性化したゲルビーズ、完全フロイントアジュバント及び不完全フロイントアジュバントはＩｎｖｉｔｒｏｇｅｎ社から購入される。
（２）動物免疫  ３匹の４月齢のニューイングランドウサギに対して、１００ｕｇの抗原のポリペプチドを０．２ｍｌの０．１ＭのＰＢＳ（ｐＨ７．２）に溶解し、同体積の完全フロイントアジュバントと十分に混合し、腹部皮下で多点注射する。第一回免疫後の１５日と２９日に、それぞれ１００ｕｇのポリペプチド／０．２ｍｌのＰＢＳを同体積の不完全フロイントアジュバントと十分に混合した後に免疫を強化する。
【誤訳訂正２】
【訂正対象書類名】明細書
【訂正対象項目名】００１０
【訂正方法】変更
【訂正の内容】
【００１０】
遺伝子ＥＨＤ２とそのコード化タンパク質の、乳がん免疫組織化学法診断と予後の事前判定用試薬の製造における応用であって、前記遺伝子ＥＨＤ２のＧｅｎｅＢａｎｋ国際汎用の配列番号がＮＭ＿０１４６０１である製造。  
遺伝子ＥＨＤ２とそのコード化タンパク質の、乳がん免疫組織化学法的診断と予後の事前判定用試薬の製造における応用であって、前記抗体を採用したことを特徴とする。
ポリペプチドであって、前記ポリペプチドのアミノ酸配列がＳＥＱ  ＩＤ  ＮＯ：１であることを特徴とする。
好ましくは、前記ポリペプチドは、前記ポリペプチドのアミノ酸配列をコア配列として修飾し、前記修飾がポリペプチドのＮ末端に一つのシステインを接続することである。
前記ポリペプチドの、前述の抗体の製造における応用である。
前記応用は、好ましくは抗原として動物に免疫させてＥＨＤ２抗体を製造することである。
前記ポリペプチドの、ＥＨＤ２に特異な抗体の製造における応用である。
前記応用は、好ましくは抗体に対して抗原精製を行うことである。
乳がん診断と予後の事前判定用の免疫組織化学試薬であって、ヒトＥＨＤ２タンパク質に特異な前述の抗体を一次抗体又はコア抗体とすることを特徴とする。
【誤訳訂正３】
【訂正対象書類名】特許請求の範囲
【訂正対象項目名】全文
【訂正方法】変更
【訂正の内容】
【特許請求の範囲】
【請求項１】
ヒトＥＨＤ２タンパク質に特異な抗体であって、前記抗体はアミノ酸配列がＳＥＱ  ＩＤ  ＮＯ：１であるポリペプチドを用いて動物免疫によって作製される、ことを特徴とするヒトＥＨＤ２タンパク質に特異な抗体。
【請求項２】
アミノ酸配列がＳＥＱ  ＩＤ  ＮＯ：１である前記ポリペプチドは、Ｎ末端に１つのシステインを接続する修飾が行われる、ことを特徴とする請求項１に記載の抗体。
【請求項３】
前記作製された抗体は、アミノ酸配列がＳＥＱ  ＩＤ  ＮＯ：１である前記ポリペプチドを用いてさらに抗体精製される、ことを特徴とする請求項１または請求項２に記載の抗体。
【請求項４】
前記修飾されたポリペプチドは、免疫精製によって前記抗体を精製するために用いられる、ことを特徴とする請求項２に記載の抗体。
【請求項５】
乳がん免疫組織化学法の診断と予後の事前判定用試薬を製造することへの、請求項１〜４のいずれか１項に記載のヒトＥＨＤ２タンパク質に特異な抗体の使用。
【請求項６】
アミノ酸配列がＳＥＱ  ＩＤ  ＮＯ：１である、ことを特徴とするポリペプチド。
【請求項７】
前記アミノ酸配列をコア配列としてアミノ酸の配列を修飾する、ことを特徴とする請求項６に記載のポリペプチド。
【請求項８】
前記修飾は、前記ポリペプチドのＮ末端に一つのシステイン酸を接続する工程を含む、ことを特徴とする請求項７に記載のポリペプチド。
【請求項９】
前記修飾は、アミノ酸を導入及び／又は化学基をカップリングして行う、ことを特徴とする請求項７に記載のポリペプチド。
【請求項１０】
アミノ酸配列がＳＥＱ  ＩＤ  ＮＯ：１である前記ポリペプチドを用いて、動物免疫によりヒトＥＨＤ２タンパク質に特異な抗体を作製する工程を含む、請求項１のヒトＥＨＤ２タンパク質に特異な抗体を製造する方法。
【請求項１１】
旧請求項１２
前記方法は、アミノ酸配列がＳＥＱ  ＩＤ  ＮＯ：１であるポリペプチドを用い、抗体精製を行うことにより前記のヒトＥＨＤ２タンパク質に特異な抗体を精製する工程をさらに含む、ことを特徴とする請求項１０に記載の方法。
【請求項１２】
アミノ酸配列がＳＥＱ  ＩＤ  ＮＯ：１である前記ポリペプチドは、Ｎ末端に１つのシステインを接続する修飾が行われて、動物免疫により前記のヒトＥＨＤ２タンパク質に特異な抗体を生成するために及び／又は抗体精製により前記のヒトＥＨＤ２タンパク質に特異な抗体を精製するために使用される、ことを特徴とする請求項１０又は請求項１１に記載の方法。
【請求項１３】
請求項１〜４のいずれか１項に記載の抗体を一次抗体又はコア抗体として試薬に含む、ことを特徴とする乳がん診断と予後の事前判定用の免疫組織化学試薬。
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
式（Ｉ）
2017511321.tif 000001
の化合物、またはその薬学的に許容される塩：
式中、
Ｃｙｃは、１個の窒素原子を含み、該環窒素原子に式Ａｒ１−ＣＲ２−の基が結合している、５〜８員単環式ヘテロシクリル環であり；
Ａｒ１およびＡｒ２はそれぞれ独立して、０、１、または２個のＪ基で置換されているアリール基であり；
Ｒは独立してＨまたは（Ｃ１〜Ｃ６）アルキルであり；
Ｊは独立して、（Ｃ１〜Ｃ６）アルキル、（Ｃ３〜Ｃ９）シクロアルキル、（Ｃ３〜Ｃ９）シクロアルキル（Ｃ１〜Ｃ６）アルキル、ハロ、または（Ｃ１〜Ｃ６）ハロアルキルである。
【請求項２】
式（ＩＡ）
2017511321.tif 000002
の化合物である、請求項１に記載の化合物、またはその薬学的に許容される塩。
【請求項３】
Ａｒ１およびＡｒ２がそれぞれ、０、１、または２個のＪ基で置換されているフェニル基であり；かつ
それぞれの場合のＲが独立してＨまたは（Ｃ１〜Ｃ６）アルキルである、
請求項２に記載の化合物、またはその薬学的に許容される塩。
【請求項４】
2017511321.tif 000003
からなる群より選択される請求項１に記載の化合物、またはその薬学的に許容される塩。
【請求項５】
式（Ｉ）
2017511321.tif 000004
の化合物またはその薬学的に許容される塩の有効量を含む、癌を治療するための薬学的組成物：
式中、
Ｃｙｃは、１個の窒素原子を含み、該窒素原子に式Ａｒ１−ＣＲ２−の基が結合している、５〜８員単環式ヘテロシクリル環であり；
Ａｒ１およびＡｒ２は、０、１、または２個のＪ基で置換されているアリール基であり；
Ｒは独立してＨまたは（Ｃ１〜Ｃ６）アルキルであり；
Ｊは独立して、（Ｃ１〜Ｃ６）アルキル、（Ｃ３〜Ｃ９）シクロアルキル、（Ｃ３〜Ｃ９）シクロアルキル（Ｃ１〜Ｃ６）アルキル、ハロ、または（Ｃ１〜Ｃ６）ハロアルキルである。
【請求項６】
前記化合物が、式（ＩＡ）
2017511321.tif 000005
の化合物、またはその薬学的に許容される塩である、請求項５に記載の薬学的組成物。
【請求項７】
Ａｒ１およびＡｒ２が、０、１、または２個のＪ基で置換されているフェニル基である、請求項６に記載の薬学的組成物。
【請求項８】
式（Ｉ）の化合物が、式２
2017511321.tif 000006
の化合物である、請求項５に記載の薬学的組成物。
【請求項９】
前記癌が、卵巣癌、結腸癌、乳癌、肝臓癌、膵臓癌、胃腸癌、頭頸部癌、子宮頸癌、前立腺癌、肺癌、メラノーマ、神経膠芽腫、ミエローマ、神経芽細胞由来ＣＮＳ腫瘍、単球性白血病、Ｂ細胞由来白血病、Ｔ細胞由来白血病、Ｂ細胞由来リンパ腫、Ｔ細胞由来リンパ腫、および肥満細胞由来腫瘍、ならびにこれらの組み合わせからなる群より選択される、請求項５に記載の薬学的組成物。
【手続補正２】
【補正対象書類名】明細書
【補正対象項目名】０００８
【補正方法】変更
【補正の内容】
【０００８】
本開示は、患者に化合物2などの式(I)の化合物の有効量を投与する工程を含む、様々な癌を治療するための方法を提供する。広範な哺乳類の癌を治療するための方法は、治療される広範な哺乳類の癌が、卵巣癌、結腸癌、乳癌、肝臓癌、膵臓癌、胃腸癌、頭頸部癌、子宮頸癌、前立腺癌、肺癌、メラノーマ、神経膠芽腫、ミエローマ、神経芽細胞由来CNS腫瘍、単球性白血病、B細胞由来白血病、T細胞由来白血病、B細胞由来リンパ腫、T細胞由来リンパ腫、および肥満細胞由来腫瘍、ならびにこれらの組み合わせからなる群より選択される。
[本発明1001]
式(I)
2017511321.tif 000007
の化合物、またはその薬学的に許容される塩：
式中、
Cycは、1個の窒素原子を含み環窒素原子に式Ar1-CR2-の基が結合している、5〜8員単環式ヘテロシクリル環であり；
Ar1およびAr2はそれぞれ独立して、0、1、または2個のJ基で置換されているアリール基であり；
Rは独立してHまたは(C1〜C6)アルキルであり；
Jは独立して、(C1〜C6)アルキル、(C3〜C9)シクロアルキル、(C3〜C9)シクロアルキル(C1〜C6)アルキル、ハロ、または(C1〜C6)ハロアルキルである。
[本発明1002]
下位分類である式(IA)
2017511321.tif 000008
の範囲内にある本発明1001の化合物、またはその薬学的に許容される塩。
[本発明1003]
Ar1およびAr2がそれぞれ、0、1、または2個のJ基で置換されているフェニル基であり；かつ
それぞれの場合のRが独立してHまたは(C1〜C6)アルキルである、
本発明1002の化合物、またはその薬学的に許容される塩。
[本発明1004]
2017511321.tif 000009
からなる群より選択される本発明1001の化合物、またはその薬学的に許容される塩。
[本発明1005]
式(I)
2017511321.tif 000010
の化合物またはその薬学的に許容される塩の有効量を投与する工程を含む、癌を治療するための方法：
式中、
Cycは、1個の窒素原子を含み該窒素原子に式Ar1-CR2-の基が結合している、5〜8員単環式ヘテロシクリル環であり；
Ar1およびAr2は、0、1、または2個のJ基で置換されているアリール基であり；
Rは独立してHまたは(C1〜C6)アルキルであり；
Jは独立して、(C1〜C6)アルキル、(C3〜C9)シクロアルキル、(C3〜C9)シクロアルキル(C1〜C6)アルキル、ハロ、または(C1〜C6)ハロアルキルである。
[本発明1006]
前記化合物が、式(IA)
2017511321.tif 000011
の化合物、またはその薬学的に許容される塩である、本発明1005の方法。
[本発明1007]
式(IA)の化合物、Ar1およびAr2が、0、1、または2個のJ基で置換されているフェニル基である、本発明1005の方法。
[本発明1008]
式(I)の化合物が、式2
2017511321.tif 000012
である、本発明1005の方法。
[本発明1009]
前記癌が、卵巣癌、結腸癌、乳癌、肝臓癌、膵臓癌、胃腸癌、頭頸部癌、子宮頸癌、前立腺癌、肺癌、メラノーマ、神経膠芽腫、ミエローマ、神経芽細胞由来CNS腫瘍、単球性白血病、B細胞由来白血病、T細胞由来白血病、B細胞由来リンパ腫、T細胞由来リンパ腫、および肥満細胞由来腫瘍、ならびにこれらの組み合わせからなる群より選択される、本発明1005の方法。
【手続補正書】
【提出日】平成30年1月12日(2018.1.12)
【手続補正１】
【補正対象書類名】特許請求の範囲
【補正対象項目名】全文
【補正方法】変更
【補正の内容】
【特許請求の範囲】
【請求項１】
電子オーディオデバイスによるオーディオパスワードの強度を評価するための方法であって、
1つまたは複数のマイクロフォンによって捕捉された音声信号を取得するステップであって、前記音声信号が、複数の音素を含む受信されたオーディオパスワードを含む、取得するステップと、
前記複数の音素の各々に対する特異値を取得するステップであって、前記特異値が、前記音声信号と普遍背景モデルとの間の尤度比である、ステップと、
しきい値より大きい特異値を有する、前記複数の音素のうちの1つまたは複数の音素を識別するステップと、
パスワードフィードバックを表示するステップであって、前記パスワードフィードバックは、前記しきい値より大きい特異値を有する前記1つまたは複数の音素を含む、ステップと、
を含む、方法。
【請求項２】
前記表示するステップが、複数の推奨パスワードを表示するステップを含む、請求項1に記載の方法。
【請求項３】
前記パスワードフィードバックが、前記受信されたオーディオパスワードからの1つまたは複数の音素と1つまたは複数の推奨音素とを含む合成推奨パスワードである、請求項1に記載の方法。
【請求項４】
前記パスワードフィードバックが、1つまたは複数の英数字認証入力または生体認証入力を含むマルチモーダルパスワードである、請求項1に記載の方法。
【請求項５】
前記受信されたオーディオパスワード中の前記音素のうちの1つが推奨音素と置換されたとのメッセージを表示するステップをさらに含む、請求項1に記載の方法。
【請求項６】
少なくとも1つの追加の認証入力を取得するステップをさらに含む、請求項1に記載の方法。
【請求項７】
前記音声信号および前記追加の認証入力のうちの少なくとも1つを低下させるステップをさらに含む、請求項6に記載の方法。
【請求項８】
地理的位置、ユーザの年齢、ユーザの性別、ユーザの言語および地域方言のうちの1つまたは複数に基づいて、全体的音声モデルを更新するステップをさらに含む、請求項1に記載の方法。
【請求項９】
オーディオパスワードの強度を評価するための電子オーディオデバイスであって、
1つまたは複数のマイクロフォンによって捕捉された音声信号を取得するための手段であって、前記音声信号が、複数の音素を含む受信されたオーディオパスワードを含む、取得する手段と、
前記複数の音素の各々に対する特異値を取得するための手段であって、前記特異値が、前記音声信号と普遍背景モデルとの間の尤度比である、手段と、
しきい値より大きい特異値を有する、前記複数の音素のうちの1つまたは複数の音素を識別するための手段と、
パスワードフィードバックを表示するための手段であって、前記パスワードフィードバックは、前記しきい値より大きい特異値を有する前記1つまたは複数の音素を含む、手段と、
を備える、電子オーディオデバイス。
【請求項１０】
前記パスワードフィードバックが、前記受信されたオーディオパスワードからの1つまたは複数の音素と1つまたは複数の推奨音素とを含む合成推奨パスワードである、請求項9に記載の電子オーディオデバイス。
【請求項１１】
前記パスワードフィードバックが、1つまたは複数の英数字認証入力または生体認証入力を含むマルチモーダルパスワードである、請求項9に記載の電子オーディオデバイス。
【請求項１２】
少なくとも1つの追加の認証入力を取得するための手段をさらに含む、請求項9に記載の電子オーディオデバイス。
【請求項１３】
オーディオパスワードの強度を評価するためのコンピュータプログラムであって、実行されたとき、請求項１乃至８の何れか１項に記載の方法を実施する命令を含む、コンピュータプログラム。
【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
回路であって、
メモリセルと、
直列の２つのｐチャネルトランジスタと直列の２つのｎチャネルトランジスタとを含む感知増幅器であって、前記２つのｐチャネルトランジスタと前記２つのｎチャネルトランジスタとがクロス結合構成に配置される、前記感知増幅器と、
前記メモリセルと、前記２つのｐチャネルトランジスタの一方と前記２つのｎチャネルトランジスタの一方との第１の共通ドレイン端子との間に結合される第１のスイッチングトランジスタと、
前記第１の共通ドレイン端子に結合される入力端子と前記メモリセルに結合される出力端子とを有する第１のインバータと、
を含む、回路。
【請求項２】
請求項１に記載の回路であって、
前記メモリセルが１トランジスタ１キャパシタ（１Ｔ１Ｃ）メモリセルである、回路。
【請求項３】
請求項１に記載の回路であって、
前記メモリセルが２トランジスタ２キャパシタ（２Ｔ２Ｃ）メモリセルである、回路。
【請求項４】
請求項１に記載の回路であって、
前記２つのｐチャネルトランジスタの他方と前記２つのｎチャネルトランジスタの他方との第２の共通ドレイン端子に結合される第２のスイッチングトランジスタと、
前記第２の共通ドレイン端子に結合される入力端子と前記第２のスイッチングトランジスタに結合される出力端子とを有する第２のインバータと、
を更に含む、回路。
【請求項５】
請求項１に記載の回路であって、
前記メモリセルと前記感知増幅器との間に結合されるビットラインと、
前記メモリセルに結合されるワードラインと、
を更に含む、回路。
【請求項６】
請求項１に記載の回路であって、
前記メモリセルが強誘電性メモリセルである、回路。
【請求項７】
請求項１に記載の回路であって、
前記メモリセルが、スタティックランダムアクセスメモリ（ＳＲＡＭ）セルと磁気ランダムアクセスメモリ（ＭＲＡＭ）と抵抗性ランダムアクセスメモリ（ＲＲＡＭ）セルとのうちの１つである、回路。
【請求項８】
システムであって、
プロセッサ回路と、
前記プロセッサ回路に結合される入力デバイスと、
前記プロセッサ回路に結合される出力デバイスと、
回路であって、
メモリセルと、
直列の２つのｐチャネルトランジスタと直列の２つのｎチャネルトランジスタとを含み、前記２つのｐチャネルトランジスタと前記２つのｎチャンルトランジスタとがクロス結合構成に配置される、感知増幅器と、
前記メモリセルと、前記２つのｐチャネルトランジスタの一方と前記２つのｎチャネルトランジスタの一方との第１の共通ドレイン端子との間に結合されるスイッチングトランジスタと、
前記第１の共通ドレイン端子に結合される入力端子と前記メモリセルに結合される出力端子とを有するインバータと、
を含む、前記回路と、
を含む、システム。
【請求項９】
請求項８に記載のシステムであって、
前記メモリセルが１トランジスタ１キャパシタ（１Ｔ１Ｃ）メモリセルである、システム。
【請求項１０】
請求項８に記載のシステムであって、
前記メモリセルが２トランジスタ２キャパシタ（２Ｔ２Ｃ）メモリセルである、システム。
【請求項１１】
請求項８に記載のシステムであって、
前記メモリセルが強誘電性メモリセルである、システム。
【請求項１２】
メモリデバイスであって、
第１のビット線に結合される第１のメモリセルと第２のビット線に結合される第２のメモリセルとを含むメモリアレイと、
感知増幅器であって、
第１の導電型の第１及び第２のトランジスタと、
前記第１及び第２のトランジスタとクロス結合構成に配置される第２の導電型の第３及び第４のトランジスタと、
前記第１及び第３のトランジスタの第１の共通ドレイン端子に結合される入力と前記第１のビット線に結合される出力とを有する第１のインバータと、
前記第２及び第４のトランジスタの第２の共通ドレイン端子に結合される入力と前記第２のビット線に結合される出力とを有する第２のインバータと、
を含む、前記感知増幅器と、
を含む、メモリデバイス。
【請求項１３】
請求項１２に記載のメモリデバイスであって、
前記第１のビット線と前記第１の共通ドレイン端子との間に結合される第１のスイッチングトランジスタと、
前記第２のビット線と前記第２の共通ドレイン端子との間に結合される第２のスイッチングトランジスタと、
を更に含む、メモリデバイス。
【請求項１４】
請求項１２に記載のメモリデバイスであって、
前記第１のインバータが第１の制御信号線と第２の制御信号線との間に直列に結合される第５及び第６のトランジスタを含み、前記第２のインバータが前記第１の制御信号線と前記第２の制御信号線との間に直列に結合される第７及び第８のトランジスタを含む、メモリデバイス。
【請求項１５】
請求項１４に記載のメモリデバイスであって、
前記第５のトランジスタのゲート端子と前記第６のトランジスタのゲート端子とが前記第１の共通ドレイン端子に各々結合され、前記第７のトランジスタのゲート端子と前記第８のトランジスタのゲート端子とが前記第２の共通ドレイン端子に各々結合される、メモリデバイス。
【請求項１６】
請求項１４に記載のメモリデバイスであって、
読み出し動作に応答して、前記感知増幅器が、前記第１のビット線上の第１のデータ信号と前記第２のビット線上の第２のデータ信号との間の差電圧を増幅し、
前記第１のビット線上の前記第１のデータ信号を反転して前記第２のビット線上の前記第２のデータ信号を反転するために、前記差電圧の増幅の後に、前記第１及び第２のインバータが、前記第１の制御信号線に供給される基準電圧と、前記第２の制御信号線上に供給される供給電圧とに応答して活性化される、メモリデバイス。
【請求項１７】
請求項１６に記載のメモリデバイスであって、
前記読み出し動作の完了の前に、前記反転された第１のデータ信号により示されるデータ状態が前記第１のメモリセルに書き込まれ、前記反転された第２のデータ信号により示されるデータ状態が前記第２のメモリセルに書き込まれる、メモリデバイス。
【請求項１８】
請求項１７に記載のメモリデバイスであって、
前記メモリアレイが強誘電性メモリアレイを含む、メモリデバイス。
【誤訳訂正書】
【提出日】平成29年11月22日(2017.11.22)
【誤訳訂正１】
【訂正対象書類名】特許請求の範囲
【訂正対象項目名】全文
【訂正方法】変更
【訂正の内容】
【特許請求の範囲】
【請求項１】
車両走行経路をユーザに示す方法であって、
時間をかけて車両走行経路のための車両データを記録するステップと、車両データは車両走行経路における車両の周辺のビデオ映像を含み、
記録されたビデオ映像に組み込まれた車両の動画化表示を含む車両走行経路の動画を生成するために、記録した車両データを処理するステップと、
生成した動画の少なくとも一部をユーザに表示するステップとを有することを特徴とする方法。
【請求項２】
車両データは、１つまたはそれ以上の車両センサから記録されることを特徴とする請求項１に記載の方法。
【請求項３】
車両データは、車両通信ネットワークから提供されることを特徴とする請求項１または２に記載の方法。
【請求項４】
車両通信ネットワークは、ＣＡＮバス、フレックスレイバス、またはイーサネット（登録商標）バスであることを特徴とする請求項３に記載の方法。
【請求項５】
センサからの出力信号は、右前輪速度、左前輪速度、右後輪速度、左後輪速度、ハンドル操舵角、右前最低地上高、左前最低地上高、右後最低地上高、左後最低地上高、車両横加速度、車両縦加速度、車両ヨーレート／加速度、デフロック状態、デフロックトルク、ダンパ剛性、エンジン回転速度、ギア位置、車両対地速度、地形タイプ、地形ロール、地形ピッチ、ビデオカメラ画像、およびマイク音のうちの１つまたはそれ以上を含むことを特徴とする請求項２〜４のいずれか１に記載の方法。
【請求項６】
車両データは、外部センサから提供されることを特徴とする請求項１〜５のいずれか１に記載の方法。
【請求項７】
車両データは、外部センサを含む移動体通信デバイスから提供されることを特徴とする請求項６に記載の方法。
【請求項８】
移動体通信デバイスは、ソフトウェアアプリケーションを実行するスマートフォンを含み、スマートフォンは、通信ネットワークを介して車両の電子制御ユニットと通信することを特徴とする請求項７に記載の方法。
【請求項９】
動画は、任意の所望の視点から動画を再生できる仮想的視点を提供することを特徴とする請求項１〜８のいずれか１に記載の方法。
【請求項１０】
車両データは、イグニッションスタートストップ間、車両走行経路全体において記録されることを特徴とする請求項１〜９のいずれか１に記載の方法。
【請求項１１】
車両データは、イグニッションスタートストップ間、車両走行経路の一部において記録されることを特徴とする請求項１〜９のいずれか１に記載の方法。
【請求項１２】
車両データは、ユーザが起動した制御信号に応じて記録されることを特徴とする請求項１０または１１に記載の方法。
【請求項１３】
車両走行経路をユーザに示すシステムであって、
時間をかけて車両走行経路のための車両データを記録する手段と、車両データは車両走行経路における車両の周辺のビデオ映像を含み、
記録されたビデオ映像に組み込まれた車両の動画化表示を含む車両走行経路の動画を生成するために、記録した車両データを処理する手段とを備えたことを特徴とするシステム。
【請求項１４】
生成した動画の少なくとも一部をユーザに表示する手段を有することを特徴とする請求項１３に記載のシステム。
【請求項１５】
請求項１〜１２のいずれか１に記載の方法を実行するように構成された請求項１３または１４に記載のシステムを備えた車両。
【誤訳訂正２】
【訂正対象書類名】明細書
【訂正対象項目名】００２３
【訂正方法】変更
【訂正の内容】
【００２３】
車両データは、キーサイクル間／イグニッションスタートストップ間、車両走行経路全体において記録されてもよい。択一的には、車両データは、イグニッションスタートストップ間、車両走行経路の一部において記録されてもよい。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
フィラメントが内部に配置されたカプセルと、
前記カプセルと連結しているプレスシールであって、第１係合特徴部を有するプレスシールと、
前記プレスシールから延びる第１導電リードと、
前記プレスシールから延びる第２導電リードと
を備える、ランプ素子であって、前記第１導電リードの第１端部と前記第２導電リードの第１端部とが前記フィラメントに電気的につながっている、ランプ素子と、
前記プレスシールの少なくとも一部分と取外し可能に係合されるアダプタであって、前記プレスシールの少なくとも一部分を受容するよう成形されたレセプタクルを有する第１端部と、前記第１端部の反対側の第２端部とを有し、さらに、
前記第１端部から前記第２端部へと前記アダプタを通って延びる第１チャネルであって、前記第１導電リードが当該第１チャネルを通過できるようサイズ調整されている第１チャネルと、
前記第１端部から前記第２端部へと前記アダプタを通って延びる第２チャネルであって、前記第２導電リードが当該第２チャネルを通過できるようサイズ調整されている第２チャネルと
を備え、前記プレスシールの前記第１係合特徴部に係合するか又はそれから係合解除するように操作可能な第２係合特徴部を有する、アダプタと、
前記第１導電リードの第２端部に取り付けられ、前記第１チャネルを通って延びる第１導電ピンと、
前記第２導電リードの第２端部に取り付けられた第１端部と、第２導電ピンに取り付けられた第２端部とを有する絶縁スリーブであって、前記第２チャネルを通って延び、金属層で覆われた内表面を有し、前記金属層が前記第２導電リードと前記第２導電ピンと電気的につながっている、絶縁スリーブと
を備える、ランプアセンブリ。
【請求項２】
前記レセプタクルの内表面は光反射材料でコーティングされる、請求項１に記載のランプアセンブリ。
【請求項３】
更に、
前記プレスシールと前記レセプタクルとの間に提供された、熱伝導性化合物の層を備える、請求項１に記載のランプアセンブリ。
【請求項４】
熱処理チャンバ内で使用するためのランプアセンブリであって、
フィラメントが内部に配置されたカプセルと、前記カプセルから延び且つ第１係合特徴部を有するプレスシールと、
前記フィラメントを、前記プレスシールの内部に配置された第１金属箔及び第２金属箔へとそれぞれ接続する、第１フィラメントリード及び第２フィラメントリードと、
前記第１金属箔及び前記第２金属箔を、前記ランプアセンブリの外に位置付けられたプリント回路基板構造体に形成されたそれぞれの導電性レセプタクルに電気的に接続する、第１導電リード及び第２導電リードと、
前記第１導電リード及び前記第２導電リードのうちの少なくとも一方に電気的に結合されたヒューズと、
第１端部及び第２端部に開口を有するアダプタであって、前記アダプタの前記第１端部は、前記プレスシールの少なくとも一部分を受容するよう成形されたレセプタクルを有し、前記第１端部の前記開口は、前記プレスシールの前記第１係合特徴部に係合するか又はそれから係合解除するように操作可能な第２係合特徴部を有する、アダプタと
を備える、ランプアセンブリ。
【請求項５】
前記アダプタは更に、
前記第１端部から前記第２端部へと前記アダプタを通って延びる第１チャネルであって、前記第１導電リードが当該第１チャネルを通過できるようサイズ調整されている、第１チャネルと、
前記第１端部から前記第２端部へと前記アダプタを通って延びる第２チャネルであって、前記第２導電リードが当該第２チャネルを通過できるようサイズ調整されている第２チャネルと
を備える、請求項４に記載のランプアセンブリ。
【請求項６】
前記レセプタクルは、光反射材料でコーティングされた内表面を有する、請求項５に記載のランプアセンブリ。
【請求項７】
更に、
前記プレスシールと前記レセプタクルとの間に提供された、熱伝導性化合物の層を備える、請求項４に記載のランプアセンブリ。
【請求項８】
第１係合特徴部を備えるランプ要素と、
前記ランプ要素から延びる第１導電リードと、
前記ランプ要素から延びる第２導電リードと、
前記第１係合特徴部に係合するか又はそれから係合解除するように操作可能な第２係合特徴部を備えるアダプタであって、前記ランプ要素の少なくとも一部分を受容するよう成形されたレセプタクルを有し、さらに、
前記アダプタを通って延びる第１チャネルであって、前記第１導電リードが当該第１チャネルを通過できるようサイズ調整されている第１チャネルと、
前記アダプタを通って延びる第２チャネルであって、前記第２導電リードが当該第２チャネルを通過できるようサイズ調整されている第２チャネルと
を備える、アダプタと、
前記第１導電リードに取り付けられた第１端部と、第１導電ピンに取り付けられた第２端部とを有する第１絶縁スリーブであって、前記第１チャネルを通って延び、前記第１絶縁スリーブの内表面の第１側部に沿って配置された第１金属製トレースを有する、第１絶縁スリーブと
を備える、ランプアセンブリ。
【請求項９】
前記第２導電リードに取り付けられた第１端部と、第２導電ピンに取り付けられた第２端部とを有する第２絶縁スリーブであって、前記第２絶縁スリーブは、前記第２チャネルを通って延び、前記第２絶縁スリーブの内表面の第１側部に沿って配置された第２金属製トレースを有する、第２絶縁スリーブをさらに備える、請求項８に記載のランプアセンブリ。
【請求項１０】
前記第１絶縁スリーブの前記内表面の第２側部に沿って配置された第３金属製トレースをさらに備える、請求項９に記載のランプアセンブリ。
【請求項１１】
前記第２絶縁スリーブの前記内表面の第２側部に沿って配置された第４金属製トレースをさらに備える、請求項１０に記載のランプアセンブリ。
【請求項１２】
前記第１導電リードおよび第２導電リードと電気的につながっているフィラメントが内部に配置されたカプセルと、
前記カプセルから延びるプレスシールと
を備える、請求項７に記載のランプアセンブリ。
【請求項１３】
前記第１係合特徴部は前記プレスシール上に配置されている、請求項１２に記載のランプアセンブリ。
【請求項１４】
前記レセプタクルは、光反射材料でコーティングされた内表面を有する、請求項１２に記載のランプアセンブリ。
【請求項１５】
前記プレスシールと前記レセプタクルの前記内表面との間に設けられたガス間隙をさらに備える、請求項１４に記載のランプアセンブリ。
【請求項１６】
前記第１絶縁スリーブと第２絶縁スリーブが、低融点ガラスビード又は絶縁粒子満たされている、請求項９に記載のランプアセンブリ。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
通信モジュール、コントローラ、ユーザインタフェース素子、及び不揮発性メモリを含む照明装置であって、
前記コントローラは、前記照明装置の出荷時新品状態が設定状態にある場合に、前記通信モジュールを介してZigBee（登録商標）ネットワークへのZigBee（登録商標）出荷時新規接続を確立し、前記出荷時新品状態が設定状態にない場合に、出荷時新規接続を確立しないようにプログラミングされ、
前記ユーザインタフェース素子は、前記コントローラに結合され、複数の位置の間で物理的に作動可能であり、
前記不揮発性メモリは、前記ユーザインタフェース素子が前記複数の位置のうちの第１の位置にあることの表示を保存し、
前記出荷時新品状態が設定状態にない場合には、前記コントローラは、前記照明装置の切り離された後のＡＣ電源への再接続に際し、
前記ユーザインタフェース素子の感知された位置を、前記不揮発性メモリに保存された前記表示と比較すること、
前記比較に基づき、前記感知された位置が第１の位置と異なることを判断すること、及び
前記判断に応答して、前記出荷時新品状態を設定状態に変更すること、
を実行するように更にプログラミングされる、照明装置。
【請求項２】
前記ユーザインタフェース素子は、前記照明装置上の、前記照明装置が設置される際に人がアクセスできない位置に配置される、請求項１に記載の照明装置。
【請求項３】
前記照明装置は照明スイッチである、請求項２に記載の照明装置。
【請求項４】
前記照明装置は人感センサである、請求項２に記載の照明装置。
【請求項５】
前記ユーザインタフェース素子は第１の位置へと付勢される押しボタンである、請求項１に記載の照明装置。
【請求項６】
前記コントローラは、前記照明装置が前記ＡＣ電源から切り離される前に前記ユーザインタフェース素子が第１の位置にあることを感知し、第１の位置の表示を前記不揮発性メモリに保存する、請求項１に記載の照明装置。
【請求項７】
前記ユーザインタフェース素子はディップスイッチである、請求項６に記載の照明装置。
【請求項８】
装置の出荷時新品状態が設定状態にある場合に前記装置をネットワークに接続するステップと、
前記ネットワークへの接続に応答して前記出荷時新品状態を非設定状態に変更するステップと、
前記装置がＡＣ電源から切り離されているがエネルギー蓄積デバイスによって電力を供給されている間にユーザインタフェース素子の位置の変化を感知するステップであって、前記ユーザインタフェース素子は、前記装置の一部であり、且つ複数の位置の間で作動可能である、ステップと、
前記ユーザインタフェース素子の位置の変化の感知に応答して、前記出荷時新品状態を設定状態に戻すステップとを含む、ネットワークへの装置の接続を管理する、方法。
【請求項９】
前記ユーザインタフェース素子は、照明装置上の、前記照明装置が設置される際に人がアクセスできない位置に配置される、請求項８に記載の方法。
【請求項１０】
前記装置が前記ＡＣ電源から切り離されると、前記装置の前記エネルギー蓄積デバイスから電力を受け取るステップを更に含み、前記ユーザインタフェース素子の位置の変化を感知するステップは、前記装置が前記ＡＣ電源から切り離されると、前記ユーザインタフェース素子の位置の変化を感知するステップを含む、請求項８に記載の方法。
【請求項１１】
前記装置が前記ＡＣ電源から切り離される前に前記ユーザインタフェース素子の位置を感知するステップと、前記装置が前記ＡＣ電源から切り離される前の前記ユーザインタフェース素子の位置の表示を保存するステップとを更に含み、
前記ＡＣ電源からの前記装置の切り離しに続いて前記ユーザインタフェース素子の位置の変化を感知するステップは、前記装置が前記ＡＣ電源に再接続される際の前記ユーザインタフェース素子の位置が、前記装置が前記ＡＣ電源から切り離される前の前記ユーザインタフェース素子の位置の保存された表示とは異なることを判断するステップを含む、請求項８に記載の方法。
【請求項１２】
通信モジュール及びコントローラを含む照明装置であって、
前記コントローラは、前記照明装置の出荷時新品状態が設定状態にある場合に、前記通信モジュールを介してZigBee（登録商標）ネットワークへのZigBee（登録商標）出荷時新規接続を確立し、前記出荷時新品状態が設定状態にない場合に、新規接続を確立しないようにプログラミングされ、前記出荷時新品状態が設定状態にない場合には、前記コントローラは、ある期間内に照明装置に供給された電力のオン／オフサイクル数をモニタリングし、オン／オフサイクル数が閾値を満たす場合に、前記出荷時新品状態を設定状態に変更するように更にプログラミングされる、照明装置。
【請求項１３】
装置の出荷時新品状態が設定状態にある場合に前記装置をZigBee（登録商標）ネットワークに接続するステップと、
ZigBee（登録商標）ネットワークへの接続に応答して前記出荷時新品状態を非設定状態に変更するステップと、
ある期間内に前記装置に供給された電力のオン／オフサイクル数をモニタリングするステップと、
前記オン／オフサイクル数が閾値を満たす場合に、前記出荷時新品状態を設定状態に変更するステップとを含む、ネットワークへの前記装置の接続を管理する、方法。
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
人工ニューロンのシステムにおいて処理するための方法であって、
計算リソースの限られた可用性に少なくとも部分的に基づいて、ニューロンモデルの少なくとも１つの処理ユニットによって実行される１つまたは複数の機能の解像度を低下させることと、前記少なくとも１つの処理ユニットは、少なくとも１つのニューロモルフィックプロセッサを含む、
解像度の前記低下を補償するために前記システムに関連付けられる１つまたは複数のネットワーク重みを調整することと、
前記低下した解像度および前記調整された１つまたは複数のネットワーク重みで少なくとも１つのデバイスを動作させることとを備える、方法。
【請求項２】
前記解像度を低下させることがサブサンプリングすることを備え、
前記補償することが、解像度の前記低下に比例して重みを増加させることを備える、請求項１に記載の方法。
【請求項３】
前記サブサンプリングすることが、Ｎ個の画素から１個をサンプリングすることを備え、
前記補償することが、重みをＮ倍だけ増加させることを備える、請求項２に記載の方法。
【請求項４】
前記解像度を低下させることが、前記ニューロンモデルの前記処理ユニットの数を減少させることをさらに備える、請求項１に記載の方法。
【請求項５】
計算負荷、または前記システム内の他の処理ユニットによって実行される他の機能に関連付けられる利用可能な計算リソースのうちの少なくとも１つに少なくとも部分的に基づいて、前記１つまたは複数の機能の前記解像度を動的に調整することをさらに備える、請求項１に記載の方法。
【請求項６】
前記処理ユニットによって得られた結果が前記システムを特定の操作状態にトリガすると、前記処理ユニットの適切なサブセットによって実行される前記１つまたは複数の機能のサブセットの解像度を高めることをさらに備える、請求項１に記載の方法。
【請求項７】
前記処理ユニットによって得られた結果が前記システムを特定の操作状態にトリガすると、前記処理ユニットの適切なサブセットによって実行される前記１つまたは複数の機能のサブセットの解像度を好ましい解像度に調整することをさらに備える、請求項１に記載の方法。
【請求項８】
前記１つまたは複数の機能を実行している前記処理ユニットがコンテキストスイッチを検出すると、前記処理ユニットのサブセットによって実行される前記１つまたは複数の機能のサブセットの解像度を高めることと、
前記１つまたは複数の機能を実行している前記処理ユニットが前記コンテキストスイッチを検出すると、前記１つまたは複数のネットワーク重みをスケーリングすることとをさらに備える、請求項１に記載の方法。
【請求項９】
前記解像度を低下させることが、聴覚ニューロンに関連付けられる周波数帯域幅を調整することによって、前記システムにおいて前記聴覚ニューロンをサブサンプリングすることを備える、請求項１に記載の方法。
【請求項１０】
前記計算リソースの可用性および前記システムの操作状態に少なくとも部分的に基づいて、高速フーリエ変換（ＦＦＴ）の大きさを調整することをさらに備え、オーディオフレームの前記ＦＦＴの出力が、前記聴覚ニューロンに入力され、前記ＦＦＴに関連付けられる周波数ビンの大きさの解像度を調整すること、またはオーディオの動的範囲を調整することを含む、請求項９に記載の方法。
【請求項１１】
前記解像度を低下させることは、網膜解像度を低下させることを備え、
前記補償することは、錐体視細胞の数、網膜神経節細胞（ＲＧＣ）の数のうちの少なくとも１つを低下させること、または画素をサブサンプリングすることによって、網膜解像度の前記低下を補償することとを備える、請求項１に記載の方法。
【請求項１２】
前記補償が、残りの錐体視細胞または残りのＲＧＣのうちの少なくとも１つの前記重みを増加させることを備える、請求項１１に記載の方法。
【請求項１３】
計算負荷、または前記システム内で動作している他のセンサに関連付けられる利用可能な計算リソースのうちの少なくとも１つに少なくとも部分的に基づいて、前記網膜解像度を動的に調整することをさらに備える、請求項１１に記載の方法。
【請求項１４】
少なくとも１つの処理ユニットを含む人工ニューロンのシステムにおいて処理するための装置であって、前記少なくとも１つの処理ユニットは、少なくとも１つのニューロモルフィックプロセッサを含み、
計算リソースの限られた可用性に少なくとも部分的に基づいて、前記少なくとも１つの処理ユニットによって実行される１つまたは複数の機能の解像度を低下させるための手段と、
解像度の前記低下を補償するために前記システムに関連付けられる１つまたは複数のネットワーク重みを調整するための手段と、
前記低下した解像度および前記調整された１つまたは複数のネットワーク重みで少なくとも１つのデバイスを動作させるための手段とを備える、装置。
【請求項１５】
人工神経系を操作するためのコンピュータプログラム製品であって、
請求項１〜１３のいずれか一項に記載の方法を実行するように実行可能な命令を有するコンピュータ可読媒体を備える、コンピュータプログラム製品。
【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
コンピューティングデバイスのリソースを管理するためにコンピューティングデバイスによって実施される方法であって、
前記コンピューティングデバイスによって実行されている間、アプリケーションの第１のインスタンスによって使用されるリソースの第１の量を決定するステップであって、前記アプリケーションの前記第１のインスタンスに関連付けられるフォアグラウンドプロセス及び前記アプリケーションの前記第１のインスタンスに関連付けられる１つ又は複数のバックグラウンドタスクによって使用されるリソースの量を決定するステップを含む、ステップと、
前記第１の量に少なくとも基づいて、前記アプリケーションについての第１の予測されるリソース使用量を計算するステップと、
前記第１の予測されるリソース使用量をデータストアに格納するステップと、
前記データストアに格納された前記第１の予測されるリソース使用量に少なくとも基づいて、前記コンピューティングデバイスによって実行される前記アプリケーションの第２のインスタンスに割り当てられるべきリソースの第２の量を決定するステップと、
前記リソースの前記第２の量が現在利用可能でないと判定することに応答して、前記アプリケーションの前記第２のインスタンスの実行を防止するステップと
を含む、方法。
【請求項２】
前記リソースは、
揮発性又は不揮発性のメモリーリソース、
中央処理装置（ＣＰＵ）リソース、
入出力（Ｉ／Ｏ）リソース、
ネットワークリソース、
電源リソース、及び
センサーリソース
のうちの少なくとも１つを含む、請求項１に記載の方法。
【請求項３】
前記第１の量に少なくとも基づいて、前記アプリケーションについての前記第１の予測されるリソース使用量を計算するステップは、
前記第１の量を、前記アプリケーションの１つ又は複数の以前に実行されたインスタンスに関連付けられる１つ又は複数の以前に決定された量と比較することによって、前記アプリケーションについての最大リソース使用量を得るステップと、
前記最大リソース使用量に基づいて、前記第１の予測されるリソース使用量を計算するステップと
を含む、請求項１に記載の方法。
【請求項４】
前記第１の量に少なくとも基づいて、前記アプリケーションについての前記第１の予測されるリソース使用量を計算するステップは、
前記第１の量及び前記アプリケーションの以前に実行されたインスタンスに関連付けられる１つ又は複数の以前に決定された量に基づいて、前記アプリケーションについての平均リソース使用量を得るステップと、
前記平均リソース使用量に基づいて、前記第１の予測されるリソース使用量を計算するステップと
を含む、請求項１に記載の方法。
【請求項５】
前記第１の量及び前記アプリケーションの以前に実行されたインスタンスに関連付けられる１つ又は複数の以前に決定された量に基づいて、前記アプリケーションについての前記平均リソース使用量を得るステップは、
前記第１の量を第１の重み付け係数で乗算して、第１の積を得るステップと、
少なくとも前記１つ又は複数の以前に決定された量に基づいて得られる移動平均量を第２の重み付け係数で乗算して、第２の積を得るステップと、
前記第１の積及び前記第２の積を合計するステップと
を含む、請求項４に記載の方法。
【請求項６】
前記第１の重み付け係数が前記第２の重み付け係数よりも大きい、請求項５に記載の方法。
【請求項７】
前記決定するステップ、前記計算するステップ及び前記格納するステップが、
第１のユーザーのために前記コンピューティングデバイスによって実行されている間に前記アプリケーションの前記第１のインスタンスによって使用される前記リソースの前記第１の量を決定するステップと、
前記第１の量に少なくとも基づいて、前記アプリケーション及び前記第１のユーザーについての前記第１の予測されるリソース使用量を計算するステップと、
前記第１の予測されるリソース使用量を前記データストアに格納するステップと、
前記データストアに格納された前記第１の予測されるリソース使用量に少なくとも基づいて、前記第１のユーザーのために前記コンピューティングデバイスによって実行される前記アプリケーションの前記第２のインスタンスに割り当てられるべき前記リソースの前記第２の量を決定するステップと
を含み、前記方法は、
第２のユーザーのために前記コンピューティングデバイスによって実行されている間に前記アプリケーションの第３のインスタンスによって使用される前記リソースの第３の量を決定するステップと、
前記第３の量に少なくとも基づいて、前記アプリケーション及び前記第２のユーザーについての第２の予測されるリソース使用量を計算するステップと、
前記第２の予測されるリソース使用量を前記データストアに格納するステップと、
前記データストアに格納された前記第２の予測されるリソース使用量に少なくとも基づいて、前記第２のユーザーのために前記コンピューティングデバイスによって実行される前記アプリケーションの第４のインスタンスに割り当てられるべき前記リソースの第４の量を決定するステップと
をさらに含む、請求項１に記載の方法。
【請求項８】
コンピューティングデバイス上に実装されるシステムであって、
少なくとも１つのプロセッサーと、
前記少なくとも１つのプロセッサーによってアクセス可能なメモリーであって、前記少なくとも１つのプロセッサーによる実行のためのコンポーネントを格納する、メモリーと
を備え、前記コンポーネントは、
アプリケーション及びユーザーのうちの１つ又は複数による前記コンピューティングデバイスの少なくとも１つのリソースについての使用パターンを監視し、前記使用パターンに関連付けられる情報を格納し、前記格納された情報を使用して、前記少なくとも１つのプロセッサーによる実行の前に前記リソースの少なくとも一部を少なくとも１つのプロセスに予測的に割り当てるリソースマネージャーであって、前記コンピューティングデバイスの前記少なくとも１つのリソースについての使用パターンを監視することは、前記アプリケーションに関連付けられるフォアグラウンドプロセス及び前記アプリケーションに関連付けられる１つ又は複数のバックグラウンドタスクによって使用されるリソースの量を監視することを含む、リソースマネージャー
を含む、システム。
【請求項９】
前記アプリケーションの前記第１のインスタンスに関連付けられる前記フォアグラウンドプロセスは、前記アプリケーションの前記第１のインスタンスのためのユーザーインターフェイスを提供する、請求項１に記載の方法。
【請求項１０】
前記アプリケーションの前記第１のインスタンスに関連付けられる前記１つ又は複数のバックグラウンドタスクのうちの少なくとも１つは、前記フォアグラウンドプロセスと同時に実行される、請求項１に記載の方法。
【請求項１１】
前記アプリケーションの前記第１のインスタンスに関連付けられる前記１つ又は複数のバックグラウンドタスクのうちの少なくとも１つは、前記フォアグラウンドプロセスによって開始される、請求項１に記載の方法。